(57)【要約】      （修正有）【課題】ポンプ機能を持った液体の噴出装置において、さかさまあるいは横倒し状態でも噴出させることができる噴出器を提供する。【解決手段】ポンプ機構５の下方に垂直な対の第１通路９と、第２通路１０がある直立倒立兼用操作部材８を設け、該第１通路の上端は上記ポンプ機構の末端に接続させ、下端は接続通路１１を介して上記液体の通路パイプ７の上端に接続させる。かつ、該接続通路内に、該通路の内径より小径の第１のボール弁体１２を嵌挿させ、第２通路の末端は上記第１通路の中間部に接続され、上端は容器内の上方に開放し、この第２通路内には第２通路の内径より小径の第２のボール弁体１４を嵌挿させる。【選択図】図２
0003173465.tif 000002
【実用新案登録請求の範囲】
【請求項１】
上部に略水平に設けられ液体を噴出する噴出筒と、その先端部に嵌合させたノズル体と、噴出筒の後端部から垂直に垂下させたポンプ機構と、噴出器本体に設けられ上記ポンプ機構を作動させる部材と、上端が上記ポンプ機構に取り付けられ、末端を上記容器の下方に開口させた液体の通路パイプからなる噴出装置にあって、
上記ポンプ機構の下方に垂直な対の第１通路と、第２通路がある直立倒立兼用操作部材を設け、
該第１通路の上端は上記ポンプ機構の末端に接続させ、下端は接続通路を介して上記液体の通路パイプの上端に接続させ、かつ該接続通路内に該通路の内径より小径の第１のボール弁体を嵌挿させ、
第２通路の末端は上記第１通路の中間部に接続され、上端は容器内の上方に開放されており、この第２通路内には第２通路の内径より小径の第２のボール弁体を嵌挿させたことを特徴とする直立および倒立状態でも使用可能な噴出器装置。
【考案の詳細な説明】
【技術分野】
【０００１】本考案は、容器に収容された薬品、化粧品、殺虫剤、塗料などの液体を、エアゾールあるいはトリガーレバーその他の操作で、噴射あるいは泡射させる形式の噴出装置に関する。
【背景技術】
【０００２】而してこのエアゾールあるいはトリガー形式などの噴出装置は、そのエアゾールの力あるいはトリガーレバー動作によって、噴出口に連なる液体容器内の内容物を外部空間に噴出させるようになっているが、その使用時にあって直立状態から倒立状態（所謂さかさまの状態および横倒し状態を含む）での使用となった時、容器内の液体が容器の上部に溜まることになるため、液体を噴出装置内のポンプ機構方向に導くことができず噴射させるこが困難であった。【０００３】そこで横倒の状態になった時、または所謂さかさまの状態になった時でも、容器内の液体が通常の状態と同様に噴出できるようになした特許文献１の先行技術がある。しかしこの発明は所謂エアゾール形式の、液体の計量を分配する分野のポンプであり、液体の分量を制限することで容器中に減圧を発生させることを特徴としており、一般的な噴出器への適用には不向きである。
【先行技術文献】
【特許文献】
【０００４】
【特許文献１】特開平８−５７３７０
【考案の概要】
【考案が解決しようとしている課題】
【０００５】本考案はエアゾールあるいはトリガーレバー形式などでポンプを作動させる機構の噴出装置にあって、直立状態での使用は勿論倒立の状態（所謂さかさまの状態、ほぼ横倒し状態を含む）で使用しても容器内の液体を噴出（射出、噴霧などを含む）できるようになし、かつ容器内の液体が外部に漏れ出すような虞もなく、安心、安全に使用可能な噴出器を提供することにある。
【課題を解決するための手段】
【０００６】而して本案直立および倒立状態でも使用可能な噴出器装置の特徴は、上部に略水平に設けられ液体を噴出する噴出筒と、その先端部に嵌合させたノズル体と、噴出筒の後端部から垂直に垂下させたポンプ機構と、噴出器本体に設けられ上記ポンプ機構を作動させる部材と、上端が上記ポンプ機構に取り付けられ、末端を上記容器の下方に開口させた液体の通路パイプからなる噴出装置にあって、上記ポンプ機構の下方に垂直な対の第１通路と、第２通路がある直立倒立兼用操作部材を設け、該第１通路の上端は上記ポンプ構の末端に接続させ、下端は接続通路を介して上記液体の通路パイブの上端に接続させ、かつ該接続通路内に、該通路の内径より小径の第１のボール弁体を嵌挿させ、第２通路の末端は上記第１通路の中間部に接続され、上端は容器内の上方に開放されており、この第２通路内には第２通路の内径より小径の第２のボール弁体を嵌挿させたことにある。
【考案の効果】
【０００７】而してエアゾールまたはトリガレバーなどによってポンプ機構を作動させ、噴出本体の液体噴出口を開くことにより、当該噴出口に連なる液体容器内の内容物を外部空間に噴出させるようになっているが、その使用時にあって直立状態から倒立状態（所謂さかさまの状態および横倒し状態を含む）での使用となった時、容器内の液体を噴出させることができなくなるような不祥事をなくし、かつ容器内の液体が外部に漏れ出すような虞もなく、安心、安全に使用可能な噴出器を提供することができたのである。
【図面の簡単な説明】
【０００８】
【図１】容器の下方を切除した噴出装置全体の断面図。
【図２】同噴出装置中ポンプ機構と、液体の通路部の接続部分を示した拡大断面図で、直立使用時状態の時もの。
【図３】同噴出装置中ポンプ機構と、液体の通路部の接続部分を示した拡大断面図で、倒立（所謂さかさまの状態、横倒し状態を含む）使用状態の時もの。
【考案を実施する為の形態】
【実施例１】
【０００９】次に本案の１実施例を、トリガーレバー使用の形式の噴出装置に適用させたもので説明すると、図で（１）は液体容器（２）の上部に螺合させたごく一般的なトリガー式噴出装置の噴出器本体で、上部に略水平に設けられ液体を噴射する噴出筒（３）と、その先端部を覆うように嵌合させたノズル体（４）と、噴出筒（３）の後端部から垂直に垂下させたポンプ機構（５）と、噴出器本体（１）に設けられ上記ポンプ機構（５）を作動させるトリガーレバー（６）と、上端が上記ポンプ機構（５）に取り付けられ、末端を上記容器（２）の下方に開口させた液体の通路パイプ（７）からなる。【００１０】而して上記容器（２）内の液体を噴出させる時は、トリガーレバー（６）を回動させることによりポンプ機構（５）内のピストンを作動させ、容器（２）内の液体を通路パイプ（７）内に吸い上げ、噴出筒（３）を経てノズル本体（４）から噴射あるいは噴霧などの噴出操作を行うようになっている。【００１１】続いて図示した本案直立および倒立状態でも使用可能な噴出器装置の実施例は、図２及び図３の拡大説明図で示した。即ち（８）は直立倒立兼用操作部材で、垂直な対の第１通路（９）と、第２通路（１０）がある。【００１２】そして図２で、第１通路（９）の上端は上記ポンプ機構（５）の末端に接続され、さらに水平な通路を介して垂直な接続通路（１１）に連設され、その末端は上記液体の通路パイプ（７）の上端が接続されている。【００１３】上記接続通路（１１）内には該通路（１１）の内径より小径の第１のボール弁体（１２）が嵌挿されている。なおこの接続通路（１１）の上端部は、第１のボール弁体（１２）が上方にあるとき容器（２）内の液体が流れるのに邪魔とならないよう凹所（１３）が設けられ、且つ接続通路（１１）の下端部は上記通路パイプ（７）の上部が内側から嵌挿され、第１のボール弁体（１２）がこの通路パイプ（７）の上端部に密に係合できるようになっている。【００１４】第２通路（１０）の末端は上記第１通路（９）の中間部に接続され、上端は容器（２）内の上方に開放されており、この第２通路（１０）内には第２通路（１０）の内径より小径の第２のボール弁体（１４）が嵌挿されている。【００１５】なお、上記第２通路（１０）の上端部には、第２のボール弁体（１４）が、容器（２）内に飛び出さないように第１の突出部（１５）など設けるのがよく、また第１通路（９）との接続部には第１通路（９）方向に飛び出さないよう第２の突出部（１６）が設けるなどの工夫が必要である。【００１６】また上記第２通路（１０）の上端部は格子状（１７）となし、第２のボール弁体（１４）が第２通路（１０）の上端部にあったときでも、容器（２）内に液体が第２通路（１０）内に入るよう設計されることが重要である。【００１７】而して今通常の直立状態で使用するときは、トリガーレバー（６）を使ってポンプ機構（５）を作動させると、容器（２）内の液体は通路パイプ（７）から接続通路（１１）内の第１のボール弁体（１２）を押し上げ、の周囲から第１の通路（９）を通ってポンプ機構（５）に入り、背圧を受け噴出路（３）を経てノズル体（４）から噴出される。【００１８】なおこの場合容器（２）内の液体は、ポンプ機構（５）の吸引力で同ポンプ機構（５）方向に強制的に向かわされる一方、これと同時に第２の通路（１０）の第１のボール弁体（１４）が第１の通路（９）の下方にあって、該第１通路（９）との連通を阻止しているので、かかる液体が第２の通路（１０）方向に向かうことはない。【００１９】続いて図３のように容器（２）が上方で、噴出器（１）が下方の所謂さかさまの状態で使用した場合、容器（２）内の液体は容器（２）の底部ではなく、噴出器（１）方向に溜まった状態になり、同時に第２の通路（１０）の格子状（１７）から第２の通路（１０）内にも浸入している。【００２０】ここで、トリガーレバー（６）を使ってポンプ機構（５）を作動させると、この第２通路（１０）の液体が第１の通路（９）を通ってポンプ機構（５）に入り、背圧を受け噴出路（３）を経てノズル体（４）から噴出されることとなる。
【産業上の利用の可能性】
【００２１】本考案は、薬品、化粧品、芳香剤、消臭剤などの液体を噴射あるいは噴霧させる噴出装置に適用できる。
【符号の説明】
【００２２】  １、噴出器本体
２、容器
３、噴出筒
４、ノズル体
５、ポンプ機能
６、トリガーレバー
７、通路パイプ
８、操作部材
９、第１通路
１０、第２通路
１１、接続通路
１２、第１のボール弁体
１３、凹書
１４、第２のボール弁体
１５、第１の突出部
１６、第２突出部
１７、格子状
【図１】
0003173465.tif 000003
【図２】
0003173465.tif 000004
【図３】
0003173465.tif 000005